(57)【要約】【課題】ネジキャップの着脱作業の簡便化を図りながら、ネジキャップが悪戯などにより取り外されたかどうかを目視によりチェックできるようにする。【解決手段】ネジキャップ20の筒状部21には容器本体10のネジ部11と係合する螺旋状部21ａを設け、これより下側の基部22には鋸歯状部12ａと係合して時計方向にのみ回動できる波状部22ａを設け、両者をミシン目20ａで接続した。ネジキャップ20を手で反時計方向に回動すると、筒状部21はネジ部11に案内されて上動し、一方基部22は回動できないので、ミシン目20ａが破断して筒状部21は基部22から分割し容器本体10から外れる。この状態では基部22も上動可能であり、容器本体10から取り外せる。ネジキャップ20を容器本体10に取り付けるには、これを時計方向に回動させるだけでよい。ネジキャップ20が分割されているかどうかを目視することにより、悪戯の有無をチェックすることができる。【選択図】図１
2005082203.tif 000002
【特許請求の範囲】
【請求項１】
内容物収納容器の開口側周面のネジ部に、当該容器のネジキャップを、手動操作のみによって取り外せる態様で結合させるネジキャップ着脱機構において、
前記開口側周面の、前記ネジ部より下側部分に、前記ネジキャップがその取付方向へ回動することを許容し、かつ、いったん前記内容物収納容器に取り付けられた前記ネジキャップがその取外し方向へ回動することを阻止する、一方向性の係止部を形成し、
前記ネジキャップは、
前記ネジ部に対応したネジ結合部と、
前記ネジ結合部より下側の、前記係止部に対応した一方向性の被係止部と、
前記ネジキャップの取外し操作によって切断される、前記ネジ結合部および前記被係止部の境界部分とを有したものである、
ことを特徴とするネジキャップ着脱機構。
【請求項２】
内容物収納容器の開口側周面のネジ部に、手動操作のみによって取り外せる態様で螺合するネジキャップにおいて、
前記ネジ部に対応したネジ結合部と、
前記ネジ結合部より下側の一方向性の被係止部と、
前記ネジキャップの取外し操作によって切断される、前記ネジ結合部および前記被係止部の境界部分とを有し、
前記一方向性の被係止部は、
前記開口側周面の、前記ネジ部より下側部分に、前記ネジキャップがその取付方向へ回動することを許容し、かつ、いったん前記内容物収納容器に取り付けられた前記ネジキャップがその取外し方向へ回動することを阻止する態様で形成された、一方向性の係止部に対応している、
ことを特徴とするネジキャップ。
【発明の詳細な説明】
【技術分野】
【０００１】
本発明は、内容物収納容器に手動動作により着脱されるネジキャップ着脱機構およびそのためのネジキャップに関し、特に悪戯によりネジキャップが取り外されたかどうかを目視によりチェックできるネジキャップ着脱機構およびそのためのネジキャップに関する。
【０００２】
なお、本発明は、
・貯留空間部の入口側の流入弁および出口側の吐き出し弁の作用により、容器本体の内容物をいったん当該貯留空間部に取り込んだ上でそれを外部空間に放出するポンプ式、
・利用者が容器本体の周面部分などを例えば押圧することにより内容物収納空間の容積が小さくなってその中の内容物が外部空間に放出される押出式、
の各製品に用いることができる。
【背景技術】
【０００３】
シャンプーなどの内容物を収納したポンプ式容器のネジキャップを外して異物を混入するなどのいたずらが多発し、これを防止するための悪戯防止機構が開示されている（例えば、特許文献１参照）。
【０００４】
従来の悪戯防止機構では、ネジキャップを容器本体から手で簡単には取り外すことができないように両者を固く嵌合させている。
【０００５】
したがって、例えば内容物の詰め替えの際などにネジキャップを容器本体から取り外すには、ネジキャップの下縁部に冶具を挿入して強制的にテコ作用で上方向に持ち上げ、再び取り付けるには、ネジキャップ上縁部分に冶具を当てて強制的に容器本体に押し込む、といった操作が必要である。
【特許文献１】特開平１１−１０５９５３号公報
【発明の開示】
【発明が解決しようとする課題】
【０００６】
このように、従来の悪戯防止機構では、ネジキャップの取り外しには冶具が必要なので悪戯防止を図ることはできるものの、内容物の詰め替え作業自体が面倒であるといった問題点があった。
【０００７】
そこで、本発明では、あくまでネジキャップの着脱作業の簡便化を図ることを第一とし、かつ、店頭に陳列された容器やホテルの客室などに用意されている容器などを見た者がその場の悪戯心で当該容器のネジキャップを取り外した場合、ネジキャップ自体が初期の「１ピース」状態から分割されてしまい、その後で分割ピースを再度容器に取り付けたとしても当該分割部分に対する目視などにより簡単かつ確実にこの悪戯をチェックできるようにすることを目的とする。
【課題を解決するための手段】
【０００８】
本発明は、この課題を次にようにして解決する。
（１）内容物収納容器（例えば後述の容器本体１０）の開口（例えば後述の開口部１０ａ）側周面のネジ部（例えば後述のネジ部１１）に、当該容器のネジキャップ（例えば後述のネジキャップ２０）を、手動操作のみによって取り外せる態様で結合させるネジキャップ着脱機構において、前記開口側周面の、前記ネジ部より下側部分に、前記ネジキャップがその取付方向へ回動することを許容し、かつ、いったん前記内容物収納容器に取り付けられた前記ネジキャップがその取外し方向へ回動することを阻止する、一方向性の係止部（例えば後述の鋸歯状部分１２ａ）を形成し、前記ネジキャップは、前記ネジ部に対応したネジ結合部（例えば後述の螺旋状部２１ａ）と、前記ネジ結合部より下側の、前記係止部に対応した一方向性の被係止部（例えば後述の波状部２２ａ）と、前記ネジキャップの取外し操作によって切断される、前記ネジ結合部および前記被係止部の境界部分（例えば後述のミシン目２０ａ）とを設ける。
（２）内容物収納容器（例えば後述の容器本体１０）の開口（例えば後述の開口部１０ａ）側周面のネジ部（例えば後述のネジ部１１）に、手動操作のみによって取り外せる態様で螺合するネジキャップ（例えば後述のネジキャップ２０）において、前記ネジ部に対応したネジ結合部（例えば後述の螺旋状部２１ａ）と、前記ネジ結合部より下側の一方向性の被係止部（例えば後述の波状部２２ａ）と、前記ネジキャップの取外し操作によって切断される、前記ネジ結合部および前記被係止部の境界部分（例えば後述のミシン目２０ａ）とを有し、前記一方向性の被係止部は、前記開口側周面の、前記ネジ部より下側部分に、前記ネジキャップがその取付方向へ回動することを許容し、かつ、いったん前記内容物収納容器に取り付けられた前記ネジキャップがその取外し方向へ回動することを阻止する態様で形成された、一方向性の係止部（例えば後述の鋸歯状部分１２ａ）に対応する。
【発明の効果】
【０００９】
本発明では、このように、ネジキャップを手動操作で取り外せるので、内容物の詰め替え作業を簡単に行うことができる。
【００１０】
また、ネジキャップの取り外し方向への回動操作により、当該ネジキャップは分割されるので、これを目視することによりネジキャップが、例えば悪戯により取り外されたかどうかをチェックすることができる。
【発明を実施するための最良の形態】
【００１１】
図１および図２を用いて本発明を実施するための最良の形態を説明する。
図１は、ネジキャップを容器本体に取り付けたポンプ容器の説明図であり、（ａ）はネジキャップと容器本体との係合の様子、（ｂ）はネジキャップの基部と容器本体の肩部との係合の様子を示す図１（ａ）のＡ−Ａ’断面図、図２は、ネジキャップを容器本体から取り外すときの説明図であり、（ａ）は、ネジキャップの筒状部を容器本体から取り外すときの様子、（ｂ）はネジキャップの基部を容器本体から取り外すときの様子、をそれぞれ示している。
【００１２】
これらの図において、
１は内容物を詰め替えて繰り返し使用されるポンプ容器，
１０は容器本体，１０ａは後述の操作部材３０を収容するとともに内容物の詰め替えを行うための開口部，１１は開口部側外周面に形成され後述のネジキャップ２０の筒状部２１を時計方向・反時計方向に回動させるためのネジ部，１２は当該ネジ部よりも大径の肩部，１２ａは当該肩部に一周に渡って時計方向に形成され後述のネジキャップ２０の基部２２を時計方向のみに回動させるための鋸歯状部分，１２ｂは当該鋸歯状部分の時計方向に外側に広がるかたちで形成された凸状曲面部，１２ｃは当該凸状曲面部に続く段部，
２０は容器本体１０の開口部１０ａを開状態・閉状態にするネジキャップ，２０ａは容器本体１０の開口部１０ａを開状態にするときにネジキャップ２０の反時計方向への回動操作により破断されるミシン目，２１は当該ミシン目の破断によって分離される筒状部，２１ａは当該筒状部の内周面に形成され容器本体１０のネジ部１１と係合する螺線状部，２２は筒状部２１よりも大径に形成された基部，２２ａは鋸歯状部分１２ａに対応する形状の波状部，２２ｂは鋸歯状部分１２ａの凸状曲面部１２ｂに対応する形状の凹状曲面部，２２ｃは鋸歯状部分１２ａの段部１２ｃに対応する形状の起立部，
３０は内容物を外部空間に放出するための操作部材
をそれぞれ示している。
【００１３】
ここで、時計方向，反時計方向とは、容器本体１０の開口部１０ａを上から見たときの回動方向、またはネジキャップ２０の基部２２を下にして筒状部２１を上から見たときの回動方向である。
【００１４】
ポンプ容器１は、ネジキャップ２０の着脱を手動操作でできるようにしたまま、例えば、容器本体１０に異物を混入するなどの悪戯が行われたかどうかを視認できるようにしたものである。
【００１５】
図１（ａ）および（ｂ）に示すように、ネジキャップ２０の筒状部２１と基部２２とはミシン目２０ａで接続され、当該ネジキャップと容器本体１０とは、
・筒状部２１の螺旋状部分２１ａがネジ部１１と係合し、
・基部２２の波状部分２２ａの凹状曲面部２２ｂおよび起立部２２ｃが、それぞれ肩部１２の鋸歯状部分１２ａの凸状曲面部１２ｂおよび段部１２ｃに係合する、
態様となっている。
【００１６】
ここで、ネジキャップの２０の筒状部２１と基部２２とは手で分離できるように接続されていればよく、ミシン目２０ａに代えて、例えば筒状部２１と基部２２との境界部分を薄肉に形成してもよい。
【００１７】
そして、このような構成により、
・ネジキャップ２０の筒状部２１は、容器本体１０に対して時計方向，反時計方向に回動して上下動可能であり、
・ネジキャップ２０の基部２２は、容器本体１０に対して時計方向に回動可能だが、反時計方向には回動できず、
・筒状部２１と基部２２とはミシン目２０ａによって分離され易くなっている。
【００１８】
なお、ネジキャップ２０の基部２２は、ミシン目２０ａの破断により筒状部２１が取り外された状態では、もはやネジ結合部分がなくなって容器本体１０との間で単に反時計方向に回らないだけであり、容器本体１０に対しては上動可能である。
【００１９】
図１（ａ）に示すように、ネジキャップ２０の筒状部２１を手で持って反時計方向に回動させると、
・螺旋状部２１ａが容器本体１０のネジ部１１に案内されるかたちで反時計方向に回動し、
・基部２２の起立部２２ｃは肩部１２の段部１２ｃに係合し、容器本体１０に対して反時計方向に回動できない。
【００２０】
その結果、図２（ａ）に示すように、
・ミシン目２０ａが破断されて筒状部２１は分離され、
・筒状部２１はその螺旋状部２１ａがネジ部１１に案内されて上動していき、容器本体１０から外れる。
【００２１】
したがって、操作部材３０を容器本体１０から取り外すことができ、開口部１０ａから内容物の詰め替えを行うことができる。
【００２２】
この状態ではネジキャップ２０の基部２２は容器本体１０に残ったままであるが、前述のように、基部２２をそのまま上方向に移動させると容器本体１０から取り外すことができる（図２(ｂ)参照）。
【００２３】
なお、内容物の詰め替えは、ネジキャップ２０の筒状部２１のみを取り外した状態で行ってもよいし、基部２２も取り外した状態で行ってもよい。
【００２４】
内容物を詰め替え後、ネジキャップ２０を容器本体１０に取り付けるには、容器本体１０の開口部１０ａにネジキャップ２０を被せ、当該ネジキャップを手で時計方向に回動させるだけでよい。
【００２５】
このとき、ネジキャップ２０は、
・その基部２２が容器本体１０のネジ部１１から離れた外側部分を空回りしながら筒状部２１の螺旋状部２１ａがネジ部１１に螺合して下動し、
・やがて基部２２が肩部１２の位置迄下がってくると、当該基部の内周面に形成された波状部２２ａの起立部２２ｃが当該肩部の鋸歯状部分１２ａの凸状曲面部１２ｂに案内されることとなり、
・最終的には基部２２の起立部２２ｃが肩部１２の段部１２ｃに係合するかたちで、
容器本体１０に取り付けられる。
【００２６】
ネジキャップ２０の基部２２がネジ部１１に引っ掛かることなくスムーズに肩部１２と係合できるのは、基部２２が（ネジ部１１と係合する）筒状部２１よりも大径だからである。
【００２７】
なお、ポンプ容器１に異物を混入するなどの悪戯をする際にもネジキャップの取り外しにともない、前述の内容物詰め替え作業と同様に、ミシン目２０ａが破断されてネジキャップ２０は筒状部２１と基部２２とに分離される。
【００２８】
したがって、悪戯後にネジキャップ２０が再び容器本体１０に取り付けてあったとしても、当該ネジキャップはすでに分離された状態なのでこれを目視することによりポンプ容器１が悪戯により開封されたことを確認できる。
【００２９】
なお、ミシン目２０ａの破断の有無を確認してから使用する旨を容器本体１０などに記入して利用者に通知してもよい。
【００３０】
以上の回動防止機構を備えた製品としては、洗浄剤，清掃剤，消臭剤，制汗剤，忌避剤（殺虫剤），医薬品，医薬部外品，冷却剤，筋肉消炎剤，化粧品，頭髪用品，染毛剤，洗濯のりなどがある。
【００３１】
容器本体に収納する内容物としては、金属塩類粉末、無機物粉末や樹脂粉末などを用いる。例えば、タルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤、金属イオン封鎖剤なども用いる。
【図面の簡単な説明】
【００３２】
【図１】ネジキャップを容器本体に取り付けたポンプ容器の説明図であり、（ａ）はネジキャップと容器本体との結合の様子、（ｂ）はＡ−Ａ’断面図を示している。
【図２】ネジキャップを容器本体から取り外すときの説明図であり、（ａ）は、ネジキャップの筒状部を容器本体から取り外すときの様子、（ｂ）はネジキャップの基部を容器本体から取り外すときの様子を示している。
【符号の説明】
【００３３】
１：ポンプ容器
１０：は容器本体
１０ａ：開口部
１１：ネジ部
１２：肩部
１２ａ：鋸歯状部分
１２ｂ：凸状曲面部
１２ｃ：段部
２０：ネジキャップ
２０ａ：ミシン目
２１：筒状部
２１ａ：螺線状部
２２：基部
２２ａ：波状部
２２ｂ：凹状曲面部
２２ｃ：起立部
３０：操作部材
【図１】
2005082203.tif 000003
【図２】
2005082203.tif 000004